(57)【要約】【課題】スクリーンを昇降する機能と、スクリーンの生地を選択する機能とを併せ持ち、生地の選択操作を容易に行い得るロールブラインドのスクリーン昇降装置を提供する。【解決手段】取付面に回転可能に支持される上部巻取軸２からスクリーンを吊下支持して、該上部巻取軸２の回転操作によりスクリーンを巻取りあるいは巻戻して昇降可能とし、スクリーンは複数種類の異なる生地４，５を接続して構成し、スクリーンの下端部を下部巻取軸６に巻取り可能としたロールブラインドにおいて、下部巻取軸６をスクリーンの下端部に吊下支持し、下部巻取軸６には上部巻取軸２からのスクリーンの巻戻しに基づいて下限位置まで下降したとき、上部巻取軸からの巻戻し量に応じてスクリーンを自動的に巻き取るスクリーン巻取り装置１２を備えた。【選択図】図５
2008184853.tif 000002
【特許請求の範囲】
【請求項１】
取付面に回転可能に支持される上部巻取軸からスクリーンを吊下支持して、該上部巻取軸の回転操作によりスクリーンを巻取りあるいは巻戻して昇降可能とし、前記スクリーンは複数種類の異なる生地を接続して構成し、前記スクリーンの下端部を下部巻取軸に巻取り可能としたロールブラインドにおいて、
前記下部巻取軸を前記スクリーンの下端部に吊下支持し、前記下部巻取軸には前記上部巻取軸からのスクリーンの巻戻しに基づいて下限位置まで下降したとき、上部巻取軸からの巻戻し量に応じてスクリーンを自動的に巻き取るスクリーン巻取り装置を備えたことを特徴とするロールブラインドのスクリーン昇降装置。
【請求項２】
前記スクリーン巻取り装置は、
前記下部巻取軸の下限位置で該下部巻取軸の重量を支持するストッパーと、
前記下部巻取軸が前記ストッパーに支持されたとき、該下部巻取軸をスクリーン巻取り方向に回転させる駆動手段と
を備えたことを特徴とする請求項１記載のロールブラインドのスクリーン昇降装置。
【請求項３】
前記駆動手段は、前記下部巻取軸内に配設されるスプリングモーターで構成したことを特徴とする請求項２記載のロールブラインドのスクリーン昇降装置。
【請求項４】
前記下部巻取軸の両端部を支持プレートに回転可能に支持し、前記支持プレートをガイドレールに沿って移動可能にかつ回動不能に支持し、前記ガイドレール内に前記ストッパーを設け、前記スプリングモーターを構成する捩りコイルスプリングの一端を前記支持プレートに支持し、前記捩りコイルスプリングの他端を前記下部巻取軸に取着し、前記スプリングモーターの付勢力は前記下部巻取軸の重量に釣り合う強さとしたことを特徴とする請求項３記載のロールブラインドのスクリーン昇降装置。
【発明の詳細な説明】
【技術分野】
【０００１】
この発明は、複数種類の生地を接続して形成したスクリーンを昇降するロールブラインドに関するものである。
【背景技術】
【０００２】
ロールブラインドは、取付面に回転可能に支持された巻取軸からスクリーンが垂下され、その巻取軸をスクリーン巻取り方向に回転させるとスクリーンが引き上げられ、巻取軸をスクリーン巻戻し方向に回転させるとスクリーンが下降する。
【０００３】
このようなロールブラインドの一種類として、例えば遮光性を備えた第二の生地とレース生地等の透光性を備えた第二の生地とを接続してスクリーンを構成し、そのスクリーンを上部巻取軸から垂下するとともに、スクリーンの下端部を下部巻取軸に巻き取り可能としたものがある。
【０００４】
このような構成のロールブラインドでは、上部巻取軸を回転させてスクリーンを巻戻せば、下部巻取軸が下降する。そして、下部巻取軸が下限まで下降されると、上部巻取軸から巻戻されるスクリーンを下部巻取軸に巻取り可能となっている。そして、下部巻取軸でのスクリーン巻取り量を調節することにより、両巻取軸間に張設されるスクリーンを第一あるいは第二の生地から選択可能となっている。
【０００５】
特許文献１には、フィルムスクリーンと網スクリーンのいずれかを選択可能であるとともに、フィルムスクリーン及び網スクリーンをともに開放可能とした巻上式戸が開示されている。
【０００６】
特許文献２には、ガイド溝に沿って移動する複数本の筒状巻胴からカーテン材を巻戻し、あるいはコイルバネの付勢力により筒状巻胴にカーテン材を巻き取って開閉する遮光カーテンが開示されている。
【特許文献１】実公昭６４−２９３２号公報
【特許文献２】実開昭５８−１３３９６号公報
【発明の開示】
【発明が解決しようとする課題】
【０００７】
上記のようなロールブラインドでは、上部巻取軸と下部巻取軸との間に張設される生地を選択するには、上部巻取軸あるいは下部巻取軸を電動あるいは手動でそれぞれ回転させる必要がある。従って、各巻取軸の回転操作が煩雑となるという問題点がある。
【０００８】
特許文献１に記載された巻上式戸では、フィルムスクリーンと網スクリーンのいずれかを選択する場合には、上記のようなロールブラインドと同様に、巻上ドラムと巻取軸とをそれぞれ回転駆動する必要がある。
【０００９】
特許文献２に記載された遮光カーテンでは、複数種類の生地を選択する構成は開示されていない。
この発明の目的は、スクリーンを昇降する機能と、スクリーンの生地を選択する機能とを併せ持ち、生地の選択操作を容易に行い得るロールブラインドのスクリーン昇降装置を提供することにある。
【課題を解決するための手段】
【００１０】
請求項１では、取付面に回転可能に支持される上部巻取軸からスクリーンを吊下支持して、該上部巻取軸の回転操作によりスクリーンを巻取りあるいは巻戻して昇降可能とし、前記スクリーンは複数種類の異なる生地を接続して構成し、前記スクリーンの下端部を下部巻取軸に巻取り可能としたロールブラインドにおいて、前記下部巻取軸を前記スクリーンの下端部に吊下支持し、前記下部巻取軸には前記上部巻取軸からのスクリーンの巻戻しに基づいて下限位置まで下降したとき、上部巻取軸からの巻戻し量に応じてスクリーンを自動的に巻き取るスクリーン巻取り装置を備えた。
【００１１】
請求項２では、前記スクリーン巻取り装置は、前記下部巻取軸の下限位置で該下部巻取軸の重量を支持するストッパーと、前記下部巻取軸が前記ストッパー装置に支持されたとき、該下部巻取軸をスクリーン巻取り方向に回転させる駆動手段とを備えた。
【００１２】
請求項３では、前記駆動手段は、前記下部巻取軸内に配設されるスプリングモーターで構成した。
請求項４では、前記下部巻取軸の両端部を支持プレートに回転可能に支持し、前記支持プレートをガイドレールに沿って移動可能にかつ回動不能に支持し、前記ガイドレール内に前記ストッパーを設け、前記スプリングモーターを構成する捩りコイルスプリングの一端を前記支持プレートに支持し、前記捩りコイルスプリングの他端を前記下部巻取軸に取着し、前記スプリングモーターの付勢力は前記下部巻取軸の重量に釣り合う強さとした。
【発明の効果】
【００１３】
本発明によれば、スクリーンを昇降する機能と、スクリーンの生地を選択する機能とを併せ持ち、生地の選択操作を容易に行い得るロールブラインドのスクリーン昇降装置を提供することができる。
【発明を実施するための最良の形態】
【００１４】
（第一の実施の形態）
以下、この発明を具体化した第一の実施の形態を図面に従って説明する。図１に示すロールブラインドは、取付面に固定される一対の取付ブラケット１ａ，１ｂ間に上部巻取軸２が回転可能に支持され、その上部巻取軸２にスクリーン３の上端部が巻着されている。
【００１５】
前記上部巻取軸２内にはモーターが内蔵され、そのモーターのケースは一方の取付ブラケット１ａに支持される。そして、操作スイッチ（図示しない）の操作に基づいてモーターが作動すると、上部巻取軸２がスクリーン巻取り方向あるいはスクリーン巻戻し方向に回転される。
【００１６】
前記上部巻取軸２から垂下されるスクリーン３は遮光性を備えた第一の生地４と、レース生地等の透光性を備えた第二の生地５とが接続されて形成され、第一の生地４が第二の生地５の下方に接続されている。
【００１７】
従って、スクリーン３が巻戻されるとき、まず第一の生地４が巻戻され、次いで第二の生地５が巻戻される。
前記スクリーン３の下部は、下部巻取軸６に巻着され、その下部巻取軸６の両端部は支持プレート７に回転可能に支持され、その支持プレート７はスクリーン３の両側に立設されるガイドレール８に沿って移動可能にかつガイドレール８に対し回動不能に支持されている。
【００１８】
前記ガイドレール８は、図３に示すように、前記スクリーン３側に向かって開口する溝型に形成され、前記支持プレート７には前記ガイドレール８内を移動する第一及び第二のローラー９ａ，９ｂが回転可能に支持されている。
【００１９】
第一のローラー９ａは、ガイドレール８の開口部の両側に対向して設けられるリブ１０に係合しながら上下方向に転動する。また、第二のローラー９ｂは、図３及び図４に示すように、第一のローラー９ａより上方に位置し、前記リブ１０の内側に位置する溝部１１内を上下方向に転動する。
【００２０】
従って、支持プレート７はガイドレール８に沿って上下方向に移動可能に支持され、かつガイドレール８に対し相対回転不能に支持される。また、ガイドレール８の下端部には、前記第一のローラー９ａに当接してその下限位置を設定するストッパー１２が取着されている。
【００２１】
前記下部巻取軸６内には捩りコイルスプリングで構成されるスプリングモーター１３がスクリーン巻取り装置あるいは駆動手段として配設されている。前記スプリングモーター１３の一端は、図２に示すように、前記支持プレート７から下部巻取軸６内に延びて下部巻取軸６を回転可能に支持する軸部１４に支持され、他端は取付ドラム１５を介して下部巻取軸６に固定されている。そして、スプリングモーター１３は下部巻取軸６を常時スクリーン巻取り方向に付勢している。
【００２２】
なお、下部巻取軸６がスクリーン３に吊下支持されている状態では、下部巻取軸６の重量とスプリングモーター１３の付勢力が釣り合って、下部巻取軸６が回転されないようになっている。また、第一のローラー９ａがストッパー１２に当接する位置まで下降した状態では、下部巻取軸６の重量は、ストッパー１２で支持されるため、下部巻取軸６はスプリングモーター１３の付勢力に基づいてスクリーン３を巻き取る方向に回転しようとする。
【００２３】
なお、この動作は上部巻取軸２がスクリーン３を巻戻している場合に限られ、スプリングモーター１３の付勢力で上部巻取軸２を強制的に回転させることはない。
次に、上記のように構成されたロールブラインドの動作を説明する。図５（ａ）は、下部巻取軸６が上部巻取軸２の近傍まで引き上げられた状態を示す。この状態では、上部巻取軸２から第一の生地４が吊下支持されている。
【００２４】
この状態から、上部巻取軸２をスクリーン巻戻し方向に回転させると、図５（ｂ）に示すように、第一の生地４が巻戻されて下部巻取軸６が下降し、次いで第二の生地５が巻戻される。
【００２５】
そして、図５（ｃ）に示すように、下部巻取軸６がストッパー１２に支持される状態となるまで下降すると、スクリーン３の上部が第二の生地５となり、スクリーン３の下部が第一の生地４となる。
【００２６】
図５（ｃ）に示す状態から、上部巻取軸２をさらにスクリーン巻戻し方向に回転させると、下部巻取軸６がスプリングモーター１３の付勢力により回転して、上部巻取軸２から巻戻されたスクリーン３が下部巻取軸６に巻き取られる。
【００２７】
そして、図５（ｄ）に示すように、第一の生地４がすべて下部巻取軸６に巻き取られると、上部巻取軸２と下部巻取軸６との間で第二の生地５が張設された状態となる。
一方、図５（ｄ）に示す状態から上部巻取軸２でスクリーン３を巻き取ると、下部巻取軸６が回転されてスクリーン３が巻戻される。このとき、下部巻取軸６内でスプリングモーター１３が蓄勢される。
【００２８】
そして、下部巻取軸６からスクリーン３がすべて巻戻されると、図５（ｂ）に示すように下部巻取軸６が引き上げられる。
上記のように構成されたロールブラインドでは、次に示す作用効果を得ることができる。
（１）上部巻取軸２を回転させて、スクリーン３を巻戻し、あるいは巻き取ることにより、下部巻取軸６がストッパー１２に当接するまでの範囲で下部巻取軸６を昇降することができる。従って、通常のロールブラインドと同様にスクリーン３を開閉することができる。
（２）下部巻取軸６をストッパー１２に当接する下限位置まで下降させたとき、スクリーン３の上部を第二の生地５とし、スクリーン３の下部を第一の生地４とすることができる。従って、スクリーン３の下部を遮光し、上部から柔らかな光を採光することができる。なお、下部巻取軸６が下限位置に達したとき、未だ第二の生地５は巻戻されず、スクリーン３全面が第一の生地４となるように第一の生地４の長さを設定してもよい。
（３）下部巻取軸６が下限に達した状態で上部巻取軸２からスクリーン３を巻戻せば、その巻戻し量に相当するスクリーン３が下部巻取軸６に自動的に巻き取られる。従って、上部巻取軸２の巻戻し操作により、下部巻取軸６との間に張設されるスクリーンの生地を選択することができるとともに、第一の生地４と第二の生地５の比率を調整することができる。
（４）下部巻取軸６が下限に達した状態で上部巻取軸２にスクリーン３を巻き取れば、その巻取り量に相当するスクリーン３が下部巻取軸６から巻き戻される。この巻戻し操作により下部巻取軸６内のスプリングモーター１３を蓄勢することができる。
【００２９】
上記実施の形態は、以下の態様で実施してもよい。
・スクリーン３を３種類以上の生地を接続して構成してもよい。
・生地は透光性の差以外に、色彩等が異なる生地としてもよい。
・上部巻取軸２を手動で操作してもよい。
・スクリーン３の生地は、このロールブラインドをビルのエアフローシステムに使用して好適な素材としてもよい。
【図面の簡単な説明】
【００３０】
【図１】一実施の形態のロールブラインドを示す正面図である。
【図２】下部巻取軸を示す一部破断正面図である。
【図３】第一及び第二のローラーを示す平面図である。
【図４】第一及び第二のローラーを示す正面図である。
【図５】（ａ）〜（ｄ）は一実施の形態のロールブラインドの動作を示す斜視図である。
【符号の説明】
【００３１】
２…上部巻取軸、３…スクリーン、４…第一の生地、５…第二の生地、６…下部巻取軸、１２…スクリーン巻取り装置（ストッパー）、１３…スクリーン巻取り装置（スプリングモーター）。
【図１】
2008184853.tif 000003
【図２】
2008184853.tif 000004
【図３】
2008184853.tif 000005
【図４】
2008184853.tif 000006
【図５】
2008184853.tif 000007